(57)【特許請求の範囲】
【請求項１】
表裏のドアパネルのうち少なくとも一方のドアパネルにミシン目状の切り取り線で区画した抜き取り自在部を設け、複数に分割された板状の断熱材で芯材を形成し、その際に角部を切欠いた断熱材とその他の断熱材を並べることで抜き取り自在部と対向する部分を予め凹部とし、芯材と表裏のドアパネルとを接着し、その後にドアパネルの抜き取り自在部を抜き取って切除部を形成し、モール材を切除部から凹部に嵌め込んで固定することを特徴とするドアの製造方法。
【請求項２】
表裏のドアパネルと、ドアパネル間に挟まれた芯材と、少なくとも一方のドアパネルに取付けたモール材とを備え、ドアパネルは、芯材の両面に接着固定した状態でミシン目状の切り取り線で区画した抜き取り自在部を抜き取ることで切除部を形成してあり、芯材は、複数に分割した板状の断熱材で形成してあって、角部を切欠いた断熱材とその他の断熱材を並べることで、ドアパネルの抜き取り自在部と対向する部分を予め凹部としてドアパネル間に配置したものであり、モール材は切除部から凹部に嵌め込んで固定してあることを特徴とするドア。
【請求項３】
ドアパネルの抜き取り自在部は、内外２列の切り取り線で区画されていることを特徴とする請求項２記載のドア。
【請求項４】
モール材が嵌め込まれる溝部周縁には、溝部の底部中央側に向けて傾斜した係合片を有する係合具が設けてあり、モール材は、裏面側に被係合部を有し、モール材を溝部に嵌め込むと、被係合部に係合片が係合して固定されることを特徴とする請求項２又は３記載のドア。
【発明の詳細な説明】
【技術分野】
【０００１】
本発明は、モール材付きのドアの製造方法及びドアに関する。
【背景技術】
【０００２】
特許文献１には、２枚の鋼板間に断熱材を挟んだいわゆるフラッシュドアで、ドア表面よりも凹む形でモール材を取付けたものが記載されている。このドアでは、鋼板にモール材を埋め込むための凹部をプレス加工等で加工しなければならず、コストや手間がかかる。凹部の形状に誤差があると、モール材がドア表面から浮き上がったり外れたりする。
そこで、鋼板に凹部を加工する代わりに、鋼板をモール材の内側と外側とにあらかじめ分離することが考えられるが、そうすると内側の鋼板と周囲の鋼板との間のブランク寸法を全周に亘って一定に確保するのが容易ではなく、モール材が取付けづらくなったり、取付けた後に外れてしまったりするおそれがあり、かえって製作が面倒になる。
【先行技術文献】
【特許文献】
【０００３】
【特許文献１】特開平７−１１８４３号公報
【発明の概要】
【発明が解決しようとする課題】
【０００４】
本発明は以上に述べた実情に鑑み、ドア表面より凹むモール材を有するドアの製作の容易化、コストダウンを目的とする。
【課題を解決するための手段】
【０００５】
上記の課題を達成するために請求項１記載の発明によるドアの製造方法は、表裏のドアパネルのうち少なくとも一方のドアパネルにミシン目状の切り取り線で区画した抜き取り自在部を設け、複数に分割された板状の断熱材で芯材を形成し、その際に角部を切欠いた断熱材とその他の断熱材を並べることで抜き取り自在部と対向する部分を予め凹部とし、芯材と表裏のドアパネルとを接着し、その後にドアパネルの抜き取り自在部を抜き取って切除部を形成し、モール材を切除部から凹部に嵌め込んで固定することを特徴とする。
【０００６】
請求項２記載の発明によるドアは、表裏のドアパネルと、ドアパネル間に挟まれた芯材と、少なくとも一方のドアパネルに取付けたモール材とを備え、ドアパネルは、芯材の両面に接着固定した状態でミシン目状の切り取り線で区画した抜き取り自在部を抜き取ることで切除部を形成してあり、芯材は、複数に分割した板状の断熱材で形成してあって、角部を切欠いた断熱材とその他の断熱材を並べることで、ドアパネルの抜き取り自在部と対向する部分を予め凹部としてドアパネル間に配置したものであり、モール材は切除部から凹部に嵌め込んで固定してあることを特徴とする。
【０００７】
請求項３記載の発明によるドアは、請求項２記載の発明の構成に加え、ドアパネルの抜き取り自在部は、内外２列の切り取り線で区画されていることを特徴とする。
【０００８】
請求項４記載の発明によるドアは、請求項２又は３記載の発明の構成に加え、モール材が嵌め込まれる溝部周縁には、溝部の底部中央側に向けて傾斜した係合片を有する係合具が設けてあり、モール材は、裏面側に被係合部を有し、モール材を溝部に嵌め込むと、被係合部に係合片が係合して固定されることを特徴とする。
【発明の効果】
【０００９】
請求項１記載の発明によるドアの製造方法は、表裏のドアパネルのうち少なくとも一方のドアパネルにミシン目状の切り取り線で区画した抜き取り自在部を設けておき、芯材は角部を切欠いた断熱材とその他の断熱材を並べることで抜き取り自在部と対向する部分を予め凹部とし、表裏のドアパネルと芯材とを接着してから切り取り線を切り離してドアパネルの抜き取り自在部を抜き取ることで、ドアパネルの位置関係を保ちつつモール材を嵌め込むための溝部を正確に形成できる。このように、ドアパネルに曲げ加工などの煩雑な加工をしたり、特別な金型や治具を用いたりすることもなく、またドアパネルと芯材を接着した後に溝を掘ることもなく、ドアの組立ての流れの中でモール材を嵌め込む溝部を容易に且つ正確に形成できるため、ドア表面より凹むモール材を有するドアの製作を容易化できると共にコストダウンできる。
【００１０】
請求項２記載の発明によるドアは、ドアパネルを芯材と接着固定した状態でドアパネルのミシン目状の切り取り線を切り離し、抜き取り自在部を抜き取ることで切除部を形成し、また芯材は角部を切欠いた断熱材とその他の断熱材を並べることで抜き取り自在部と対向する部分を予め凹部としてあるので、ドアパネルの位置関係を保ちつつモール材を嵌め込むための溝部を正確に形成できる。このように、ドアパネルに曲げ加工などの煩雑な加工をしたり、特別な金型や治具を用いたりすることもなく、またドアパネルと芯材を接着した後に溝を掘ることもなく、ドアの組立ての流れの中でモール材を嵌め込む溝部を容易に且つ正確に形成できるため、ドア表面より凹むモール材を有するドアの製作を容易化できると共にコストダウンできる。
【００１１】
請求項３記載の発明によるドアは、ドアパネルに抜き取り自在部を内外２列の切り取り線で区画して設けたので、切り取り線を切り離して抜き取り自在部を抜き取ると、切除部が矩形等の所定の形で連続する帯状に形成され、枠状にしたモール材を容易に取付できる。
【００１２】
請求項４記載の発明によるドアは、モール材をドアの溝部に嵌め込むだけで、溝部周縁に設けた係合具の傾斜した係合片がモール材の裏面側に設けた被係合部に係合し、モール材を確実に固定できる。
【図面の簡単な説明】
【００１３】
【図１】本発明のドアの製作手順を順に示す図である。
【図２】（ａ）は本発明のドアの第１実施形態を示す室外側正面図であり、（ｂ）は同ドアの室内側正面図である。
【図３】図２のＡ−Ａ断面図である。
【図４】図２のＢ−Ｂ断面図である。
【図５】図２のＸ部拡大図である。
【図６】室外側のドアパネルの接着前の状態を示す正面図である。
【図７】モール材をドアに嵌め込むときの状態を示す断面図である。
【図８】本発明のドアの第２実施形態を示す室外側正面図である。
【図９】図８のＣ−Ｃ断面図である。
【図１０】図８のＤ−Ｄ断面図である。
【図１１】図８のドアの室外側のドアパネルの接着前の状態を示す正面図である。
【図１２】モール材を固定するための係合具の他の例を示す縦断面図であって、（ａ）はモール材をドアに嵌め込む前の状態、（ｂ）はモール材をドアに嵌め込んだ状態を示している。
【発明を実施するための形態】
【００１４】
以下、本発明の実施の形態を図面に基づいて説明する。図２〜４は、本発明のドアの第１実施形態に係る玄関ドアを示している。この玄関ドアは、玄関の開口部に固定したドア枠（図示省略）に蝶番１２にて開閉自在に取付けられるものであり、室外側と室内側とに鋼板を用いてなるドアパネル１，２を有し、ドア内部には芯材となる断熱材３が両ドアパネル１，２の裏面に接着して設けてあり、ドア外周部には断熱材３の周囲を囲むように上枠１３と下枠１４と左右の竪枠１５，１５とからなる枠がドアパネル１，２と接着して設けてある。ドアの室外側面には、図２（ａ）に示すように、矩形に枠組みしたモール材４が上部と下部の２箇所に設けてある。モール材４は、図３，４に示すように、ドアパネル１よりも凹む形になっており、これによりドア表面が部分的に削り取られたような印象を与え、無機質な金属製のドアに木製ドアのような暖かみを持たせている。ドアの室内側面には、鏡１６が取付けてある。
【００１５】
本ドアは、以下に説明する手順により、室外側面にモール材４を嵌め込むための溝部９を矩形の帯状に形成している。室外側のドアパネル１には、予め図６に示すように、内外２列の切り取り線５ａ，５ｂで区画した抜き取り自在部６が設けられる。切り取り線５ａ，５ｂは、図６中の部分拡大図に示すように、パンチング加工によりミシン目状に形成してあり、後からカッター等で容易に切り離せるようにしてある。抜き取り自在部６の内周側と外周側には、モール材４の係合具１０を取付けるための取付け孔１７が分散して設けてある。
【００１６】
断熱材３は、発泡スチロール等の板を用い、図１（ａ）に示すように、複数の部分３ａ，３ｂ，３ｃ，３ｄ，３ｅ，３ｆ，３ｇ，３ｈ，３ｉに分割して形成してある。上部と下部の中央側に配置される断熱材３ｄ，３ｈは、ドアパネル１の抜き取り自在部６と対向する部分に予め凹部８が帯状に形成される。
【００１７】
本ドアは、図１（ａ）に示すように、室内側のドアパネル２の裏面に断熱材３と各枠材１３，１４，１５を接着して配置した後、室外側のドアパネル１をその上に接着剤で全面的に貼り付ける（ただし抜き取り自在部６は、断熱材３に凹部８が予め形成してあるため接着されない。）。そのようにドアパネル１，２と断熱材３とを接着固定した上で、図１（ｂ）に示すように、ドアパネル１の切り取り線（ミシン目）５ａ，５ｂをカッター等で切り離し、抜き取り自在部６を抜き取ると、ドアパネル１に切除部７が一定の幅で帯状に形成される。ドアパネルの切除部７と断熱材３の凹部８とは必然的に合致し、これらが合わさってモール材４を嵌め込むための溝部９が形成される。その後、図１（ｃ）に示すように、溝部９の外周側と内周側の縁部に後述するモール材４の係合具１０を取付け、枠組みしたモール材４を切除部７から凹部８に嵌め込んで取付ける。
【００１８】
モール材４は、アルミや樹脂の押出形材で形成したものであって、図３，４に示すように、幅方向の中央部に凹部１８を有し、凹部１８の内周側と外周側にツバ部１９ａ，１９ｂを有している。凹部１８の裏面の内周側と外周側には被係合部１１が設けてある。ドアの溝部９の内周側と外周側の縁部には、薄い金属板を折り曲げて形成した係合具１０がリベット２０で取付けてある。係合具１０は、溝部９の底部中央側に向けて傾斜した係合片１０ａを有しており、図７に示すように、モール材４を室外側から溝部９に押し込むと、係合片１０ａの先端部が被係合部１１に弾発的に係合し、モール材４が固定される。溝部９の底面とモール材４との間には隙間がある。係合具１０は、モール材４のツバ部１９ａ，１９ｂによって隠れる。また、モール材４のツバ部１９ａ，１９ｂの裏面の内周側と外周側の縁部は、防水テープ２１によりドアパネル１と接着され、これにより雨水がドア内部に浸入するのを防いでいる。
【００１９】
各モール材４は、図５に示すように、両端部が斜め４５°に切断され、Ｌ形のコーナーブロック２２の差込部２２ａ，２２ｂ，２２ｃを縦横のモール材４，４の中空部に差し込み、各モール材４，４の裏面側からコーナーブロックの差込部２２ａ，２２ｂ，２２ｃにビス２３をねじ込んで固定してある。さらにモール材４は、図３，４に示すように、凹部１８の外周側にタッピングホール２４ａ，２４ｂが見込み方向に並べて２つ設けてあり、モール材４を枠組みする際、左右の縦モール材４の側方から上下の横モール材４の室内側のタッピングホール２４ａにネジ２５ａをねじ込み、上下の横モール材４の上方と下方から左右の縦モール材４の室外側のタッピングホール２４ｂにネジ２５ｂをねじ込むことで、縦横のモール材４，４の斜めに切断された端面が互いに引き付けられ、縦横のモール材４，４間に隙間が開かないように確実に固定されている。
【００２０】
本ドアは以上に述べたように、ドアパネル１，２を断熱材３と接着固定した状態でドアパネル１の内外２列の切り取り線５ａ，５ｂを切り離し、抜き取り自在部６を抜き取ることで切除部７を形成し、また断熱材３は抜き取り自在部６と対向する部分を予め凹部８としてあるので、ドアパネル１，２の位置関係を保ちつつモール材４を嵌め込むための溝部９を正確に形成できる。このように、ドアパネル１に曲げ加工などの煩雑な加工をしたり、特別な金型や治具を用いたりすることもなく、またドアパネル１，２と断熱材３を接着した後に溝を掘ることもなく、ドアの組立ての流れの中でモール材４を嵌め込む溝部９を容易に且つ正確に形成できるため、ドア表面より凹むモール材４を有するドアの製作を容易化できると共にコストダウンできる。モール材４は、溝部９に嵌め込むと、溝部９周縁に設けた係合具１０の傾斜した係合片１０ａがモール材４の裏面側に設けた被係合部１１に係合して固定されるため、モール材４の取付けが容易で、尚且つ係合具１０によりがたついたり脱落したりすることがないようにモール材４を確実に固定できる。このように、モール材４を溝部９周縁に設けた係合具１０により固定したことで、溝部９の深さを正確に出さなくてもモール材４をドアパネル１に確実に密着させられ、また室内側にはモール材４を取付けるための細工が一切不要なため、内観の自由度が高められる。係合具１０は、薄い金属板を折り曲げるだけで安価に製作できる。
【００２１】
図８〜１０は、本発明のドアの第２実施形態を示している。本ドアは、図８に示すように、室外側面の左右方向中央部に一本のモール材４がドアの略全高さに亘って縦に取付けてある。モール材４は、図９に示すように、左右対称に円弧状に凹む形になっており、室外側のドアパネル１よりもドア内部に入り込んでいる。モール材４の上下端部には、図１０に示すように、キャップ２６が取付けられ、モール材４の小口及びドアパネル１の切除部７との隙間を塞いでいる。
【００２２】
本ドアの製作手順は、第１実施形態のものと同様であり、室外側のドアパネル１には、図１１に示すように、モール材４が嵌め込まれる部分にミシン目状の切り取り線５で区画した抜き取り自在部６を予め形成しておき、断熱材３には抜き取り自在部６と対向する部分に予め凹部８を形成しておく。次に、室内外のドアパネル１，２と断熱材３とを接着固定してから、ドアパネル１の切り取り線５を切り離して抜き取り自在部６を抜き取ると、ドアパネル１に切除部７が帯状に形成され、ドアパネル１の切除部７と断熱材３の凹部８とが合わさってモール材４を嵌め込むための溝部９が形成される（図１（ｂ）参照）。その後、溝部９の両側の縁部に係合具１０を取付け、モール材４を切除部７から凹部８に嵌め込むと（図１（ｃ）参照）、図９に示すように、係合具１０の溝部９の底部中央側に向けて傾斜した係合片１０ａの先端部にモール材４の被係合部１１が係合し、モール材４が固定される。
【００２３】
上記の第２実施形態においては、切り取り線５がドアパネル１の上下縁に達するように設けてもよい。ドア室内側面には、第１実施形態と同様に鏡１６を取り付けてもよいし、モール材４を取付けることもできる。
【００２４】
本発明は以上に述べた実施形態に限定されない。ドアパネル１，２や芯材３の材質、モール材４の材質・断面形状は、適宜変更することができる。モール材４は、ドアパネル１よりも凹む凹部１８を有しないものとすることもできる。またモール材４は、矩形に枠組みしたものに限らず、菱形や円形の枠状であってもよい。係合具１０は、必ずしも枠組みしたモール材４の内周側と外周側の計８辺の全てに設ける必要はなく、いくつかの辺の係合具１０を省略してもよい。また係合具１０は、図１２に示すように、溝部９の底部中央側に向けて傾斜した係合片１０ａの先端部が、溝部９の外側に向けて曲がったものでもよい。本発明のドアは、玄関ドアに限らず室内のドアにも適用できる。
【符号の説明】
【００２５】
１  室外側ドアパネル
２  室内側ドアパネル
３，３ａ，３ｂ，３ｃ，３ｄ，３ｅ，３ｆ，３ｇ，３ｈ，３ｉ  断熱材（芯材）
４  モール材
５ａ，５ｂ  切り取り線
６  抜き取り自在部
７  切除部
８  凹部
９  溝部
１０  係合具
１０ａ  係合片
１１  被係合部
【図１】
0005412378.tif 000002
【図２】
0005412378.tif 000003
【図３】
0005412378.tif 000004
【図４】
0005412378.tif 000005
【図５】
0005412378.tif 000006
【図６】
0005412378.tif 000007
【図７】
0005412378.tif 000008
【図８】
0005412378.tif 000009
【図９】
0005412378.tif 000010
【図１０】
0005412378.tif 000011
【図１１】
0005412378.tif 000012
【図１２】
0005412378.tif 000013